(57)【要約】【課題】浴室内にカビが発生することを防ぐとともに、通気口等の手入れを簡単に行なえる浴室換気装置を提供する。【解決手段】換気手段１と通気口２とからなる換気装置であって、該換気手段１が浴室内天井部５１に設けられ、該通気口２が浴室５と脱衣室６とを仕切る隔壁部７の上部に設けられるとともに、上記通気口２から脱衣室６内の空気を吸気して換気することを特徴とする。上記通気口２が円形で、その直径が５ｃｍ以上であることが好ましい。【選択図】図１
2005201550.tif 000002
【特許請求の範囲】
【請求項１】
換気手段と通気口とからなる換気装置であって、該換気手段が浴室内天井部に設けられ、該通気口が浴室と脱衣室とを仕切る隔壁部の上部に設けられるとともに、上記通気口から脱衣室内の空気を吸気して換気することを特徴とする浴室換気装置。
【請求項２】
上記通気口が円形で、その直径が５ｃｍ以上である請求項１に記載の浴室換気装置。
【請求項３】
上記通気口には抗菌剤を塗布したフィルタが装着された請求項１に記載の浴室換気装置。
【請求項４】
換気手段と外気取入れ口とからなる換気装置であって、該換気手段が浴室内天井部に設けられるとともに、該外気取入れ口が浴室と脱衣室とを仕切る隔壁部の上部に設けられた通気口とダクトを介して連結され、外気を吸気して換気することを特徴とする浴室換気装置。
【発明の詳細な説明】
【技術分野】
【０００１】
本発明は、浴室換気装置に関する。さらに詳しくは、浴室内におけるカビの発生を防ぐとともに、通気口の手入れや掃除を簡単にできる浴室換気装置に関する。
【背景技術】
【０００２】
従来、浴室ユニットには、カビの発生を防止するため、その構成部材に種々の防カビ材、抗菌剤等が添加されている。しかし、通常、その効果の持続性は限定的であり、経年後の浴室に発生したカビを除去するためには、化学物質であるカビ取り剤を使用して、手間のかかるカビ取り作業を行なわねばならない。そこで、浴室内の湿気を除去し、できるだけ乾燥した条件とすることによりカビの発生を防止するため、換気装置を設けた浴室ユニットが普及し、それに関して既に種々の技術が公知である。
【０００３】
従来公知の浴室換気装置としては、本願図３に示すように浴室ドア８ａの下部に、空気が通るように羽板を隙間を設けて斜めに取付けた通気口、いわゆるガラリ２ａを取付け、浴室天井７ａに換気扇１ａを設けた装置が知られている。このガラリ２ａは、上記したように、浴室ドア８ａの下部に取付けられているため、浴室５ａ内の空気が換気扇１ａで排気されるとともに、脱衣室６ａの空気がガラリ２ａの隙間を経て、洗い場等、浴室５ａの下方の濡れた部分と接触し浴室内に吸気される。
【特許文献１】特開平７−１０３５２５号公報（第１−３頁、第１〜３図）
【特許文献２】特開平４−２６５３６７号公報（第１−３頁、第１〜２図）
【特許文献３】特開平３−２５１６９号公報（第１−３頁、第１〜３図）
【特許文献４】実開平３−８０２３６号公報（第１頁、第１〜３図）
【発明の開示】
【発明が解決しようとする課題】
【０００４】
このとき、脱衣室６ａからほこりや繊維に付着したカビの胞子、雑菌類が浴室５ａ内に移動し、とくに、上記ガラリ２ａを含む浴室ドア８ａの下部や、下方の洗い場付近は、飛散した湯水に含まれる湯垢や皮脂、石鹸かす等、カビや雑菌類の栄養分となる物質が豊富にあるため、これらが繁殖し汚れることが多い。とくに、上記ガラリ２ａは、浴室５ａからの湯水が脱衣室６ａに漏れないように複雑な形状をしているため、羽板の隙間に発生した汚れは歯ブラシ等を用いて掃除しなければならず、また、完全に除去できないという問題があった。本発明は、このような問題を解決して、浴室内にカビが発生することを防ぐとともに、通気口等の手入れを簡単に行なえる浴室換気装置を提供することを、その課題とする。
【課題を解決するための手段】
【０００５】
本発明は、上記課題を解決するために考え出されたものであって、つぎのような技術的手段を講じている。すなわち、本願第一発明によれば、換気手段と通気口とからなる換気装置であって、該換気手段が浴室内天井部に設けられ、該通気口が浴室と脱衣室とを仕切る隔壁部の上部に設けられるとともに、上記通気口から脱衣室内の空気を吸気して換気することを特徴とする浴室換気装置が提供される。
【０００６】
上記通気口が円形で、その直径が５ｃｍ以上であることが好ましい。また、上記通気口には抗菌剤が塗布されたフィルタを装着することが好ましい。
【０００７】
本願第二発明によれば、換気手段と外気取入れ口とからなる換気装置であって、該換気手段が浴室内天井部に設けられるとともに、該外気取入れ口が浴室と脱衣室とを仕切る隔壁部の上部に設けられた通気口とダクトを介して連結され、外気を吸気して換気することを特徴とする浴室換気装置が提供される。
【発明の効果】
【０００８】
請求項１に記載の本願第一発明は上記のとおりであり、とくに、通気口が浴室と脱衣室とを仕切る隔壁部の上部に設けられるとともに、上記通気口から脱衣室内の空気を吸気して換気するため、脱衣室からの空気は、湯垢や皮脂等の殆んどない天井部に接触して換気されるため、上記空気中に含まれるカビ胞子や雑菌類が繁殖し難く、浴室内に汚れが殆ど発生しないという効果が得られる。
【０００９】
上記通気口を円形として角をなくしたため、汚れの付き難い形状となり、また、その直径を５ｃｍ以上とすることにより、スポンジ等を持った手が入り易く、簡単に掃除をすることができる。さらに、上記通気口には、抗菌剤を塗布したフィルタを装着するため、脱衣室からの空気は、フィルタを通る間にその中に含まれるほこりを除去され、抗菌剤に接触して抗菌性を付与される。その結果、清浄化された空気が浴室内に導入されるため、カビや雑菌類の繁殖を防ぐことができる。
【００１０】
請求項４に記載の本願第二発明は上記のとおりであり、とくに、該外気取入れ口が浴室と脱衣室とを仕切る隔壁部の上部に設けられた通気口とダクトを介して連結され、外気を吸気して換気されるため、上記空気中に含まれるカビ胞子や雑菌類が繁殖し難く、浴室内に汚れが殆ど発生しないという効果が得られる。
【発明を実施するための最良の形態】
【００１１】
以下、本発明の実施形態について図面を参照して、詳細に説明する。図１は、本願第一発明にかかる浴室換気装置を示す一部断面斜視図である。図１からよくわかるように、浴室５と脱衣室６とは隔壁部７で仕切られ、この隔壁部７には浴室ドア８が設けられている。換気手段１は浴室内天井部５１に設けられるとともに、通気口２は隔壁部７の上部に設けられている。通気口２は、円形でその直径は５ｃｍ以上とすることが好ましく、その開口部には抗菌剤を塗布されたフィルタ２１が装着されている。
【００１２】
図２は、本願第二発明にかかる浴室換気装置を示す一部断面斜視図である。図２からよくわかるように、浴室５と脱衣室６とは隔壁部７で仕切られ、この隔壁部７には浴室ドア８が設けられている。換気手段１は浴室内天井部５１に設けられるとともに、通気口２は隔壁部７の上部に設けられ、この通気口２は、ダクト３を介して室外に開放した外気取り入れ口４に連結されている。上記第一、第二発明においては、図１、図２からよくわかるように、浴室ドア８には、本願図３に示す従来例のようにガラリ２ａがないため、構造がシンプルで、掃除がし易く、手入れも簡単にできる。以下、実施例を用いて本発明をさらに詳細に説明する。
【００１３】
なお、以下の各実施例では、同種の浴室ユニットを購入した需要家の中から、夫婦と子供２名の標準的な家族を４組選び、３組には本発明の換気装置を取付け、１組には公知のガラリを用いる換気装置を取付けて、浴室内の各所におけるカビ発生の状態を調査した。すなわち、６、７、８月の高温多湿期の３ヶ月間、ほぼ、毎日入浴して下記実施例１〜３、比較例１を行ない、カビの発生状況を比較した。カビ発生の判定基準として、○：カビ汚れが見られない、△：カビ汚れが少し見られる、×：カビ汚れが激しい、の３段階で判定した。
【実施例１】
【００１４】
図１に示す浴室換気装置を用いてカビ発生の状況を調査した。すなわち、隔壁部７に直径５ｃｍの円形の通気口２を設け、抗菌剤を塗布したフィルタ２１を装着し、脱衣室６の空気を清浄化後、浴室５内に導入、換気した。換気手段１としては、松下エコシステムズ（株）製換気扇（ＦＹ１７Ｊ６）を用いた。上記のように
構成した浴室５にほぼ、毎日入浴し、３ヶ月間使用後の浴室５の各種個所におけるカビ発生状況を６０ｃｍの距離で目視により判定した。得られた結果を表１に示す。
【実施例２】
【００１５】
図２に示す浴室換気装置を用いる以外は、実施例１と同様にしてカビの発生状況を調べた。すなわち、実施例２においては、換気用の空気は、ダクト３を介して室外に開放した外気取り入れ口４から外気を導入して換気した。得られた結果を表１に示す。
【実施例３】
【００１６】
実施例１において、換気手段１として松下エコシステムズ（株）製循環式浴室暖房器（ＦＹ１２ＵＣ１）を暖房機能を使用せずに下方噴出して使用した以外は、実施例１と同様にして浴室内各所におけるカビの発生状況を調べた。得られた結果を表１に示す。
【００１７】
[比較例１]
図３に示す公知の浴室換気装置を用いてカビの発生状況を調べた。すなわち、本願発明における隔壁部７の上部に設けた通気口２の代わりに、浴室ドア８ａの下部に、ガラリ２ａを取付けた以外は、実施例１と同様にしてカビの発生状況を調べた。得られた結果を表１に示す。
【００１８】
【表１】
2005201550.tif 000003
【００１９】
表１の結果から、実施例１においては、脱衣室６からの空気は、湯垢や皮脂、石鹸かす等の殆んどない天井部５１にのみ接触して換気されるため、浴室内各所においてカビ汚れが目視できなかったことが明らかであり、実施例２、実施例３においても同様であった。比較例１においては、ガラリ２ａが浴室５ａからの湯水が脱衣室６ａに漏れないよう複雑な形状をしているため、脱衣室６ａからのほこりを含んだ空気が湿ったガラリ部分に付着して洗い場からの湯水に含まれる湯垢や皮脂等によってカビが繁殖し、汚れが激しかったものと思われる。浴室床面においても同様な傾向がみられるが、床面は水で流されるためガラリ部分ほど激しくカビが繁殖しなかったものと思われる。
【００２０】
以上述べたように、本発明にかかる浴室換気装置を用いることにより、浴室内各所におけるカビの発生を防止することができ、また、従来例におけるようなガラリが不必要となるため、浴室ドアのデザインがすっきりとしたものとなる。したがって、浴室ドアを簡単に掃除することができるため、浴室内を清潔に保てるとともに、通気口の手入れも容易となり、使用者の負担を軽減させることができる。
【図面の簡単な説明】
【００２１】
【図１】本願第一発明にかかる浴室換気装置を示す一部断面斜視図である。
【図２】本願第二発明にかかる浴室換気装置を示す一部断面斜視図である。
【図３】公知の浴室換気装置を示す一部断面斜視図である。
【符号の説明】
【００２２】
１          換気手段
２          通気口
２１        抗菌剤を塗布したフィルタ
３          ダクト
４          外気取り入れ口
５          浴室
５１        浴室内天井
６          脱衣室
７          隔壁部
８          浴室ドア
１ａ        従来例における換気扇
２ａ        同上ガラリ
５ａ        同上浴室
６ａ        同上脱衣室
７ａ        同上浴室天井
８ａ        同上浴室ドア
【図１】
2005201550.tif 000004
【図２】
2005201550.tif 000005
【図３】
2005201550.tif 000006